(57)【要約】【課題】  圧力計の表示部の視認が容易な圧力計付きバルブを提供する。【解決手段】  ハンドル部１２を水平回転させて、このハンドル部１２に連結された開閉弁１３を上下動させることにより、これらのハンドル部１２および開閉弁１３が取り付けられたハウジング部１１の入口孔１１ｊおよび出口孔１１ｋの連通を制御する構成とされたバルブに圧力計１４が取り付けられ、圧力計１４がハンドル部１２に取り付けられている。【選択図】    図１
2007092956.tif 000002
【特許請求の範囲】
【請求項１】
ハンドル部を水平回転させて、このハンドル部に連結された開閉弁を上下動させることにより、これらのハンドル部および開閉弁が取り付けられたハウジング部の入口孔および出口孔の連通を制御する構成とされたバルブに圧力計が取り付けられた圧力計付きバルブであって、
前記圧力計が前記ハンドル部に取り付けられていることを特徴とする圧力計付きバルブ。
【請求項２】
ハウジング部の上端部に上下方向の移動が拘束された状態で水平回転自在に設けられたハンドル部と、前記ハウジング部の内部に上下方向に延在して配置された開閉弁とが備えられ、前記ハンドル部の下部内周面に雌ねじ案内部が形成されるとともに、前記開閉弁の上部外周面に前記雌ねじ案内部に螺合した雄ねじ案内部が形成され、
前記ハウジング部の下部には、前記開閉弁の下端部が位置されるとともに、このハウジング部の外部に連通する入口孔および出口孔が開口した弁室が形成され、
前記ハンドル部を水平回転したときに、前記雄ねじ案内部が前記雌ねじ案内部に沿って上下方向に案内されることにより、前記開閉弁が上下動することによって、前記入口孔から前記出口孔への流れが開閉可能とされたバルブに、前記入口孔内の圧力が測定可能な圧力計が備えられた圧力計付きバルブであって、
前記ハンドル部の上部には、前記雌ねじ案内部に連通し、かつこのハンドル部の外側に向けて開口する開口部を有する収納部が形成され、前記開閉弁の内部には上下方向に延在し、かつ前記入口孔に連通する導入孔が形成され、前記圧力計は、その内部が前記導入孔と連通した状態で前記開閉弁に取り付けられるとともに、その表示部が前記開口部と対向するように前記収納部に収納されていることを特徴とする圧力計付きバルブ。
【請求項３】
請求項２記載の圧力計付きバルブにおいて、
互いに接触する前記開閉弁の外面および前記ハウジング部の内面の少なくとも一部はそれぞれ、複数の平板部がその軸線回りにこの軸線の延びる方向に延在する稜線をなして連なる多面形状とされていることを特徴とする圧力計付きバルブ。
【請求項４】
請求項２または３に記載の圧力計付きバルブにおいて、
前記圧力計は、光透過性の材質からなるケースに覆われていることを特徴とする圧力計付きバルブ。
【発明の詳細な説明】
【技術分野】
【０００１】
本発明は圧力計付きバルブに関するものである。
【背景技術】
【０００２】
この種の圧力計付きバルブでは、例えば下記特許文献１から３に示されるように、一般にバルブのハウジング部に圧力計が取り付けられている。
【特許文献１】特公平６−３３８７５号公報
【特許文献２】特開２０００−１９３１９７号公報
【特許文献３】特開２００３−２６９６９６号公報
【発明の開示】
【発明が解決しようとする課題】
【０００３】
しかしながら、前記従来の圧力計付きバルブでは、圧力計がハウジング部にその外表面に沿うように取り付けられていたので、この圧力計の表示部が視認し難くなるという問題もあった。
【０００４】
本発明は、このような事情を考慮してなされたもので、圧力計の表示部の視認が容易な圧力計付きバルブを提供することを目的とする。
【課題を解決するための手段】
【０００５】
上記課題を解決して、このような目的を達成するために、本発明の圧力計付きバルブは、ハンドル部を水平回転させて、このハンドル部に連結された開閉弁を上下動させることにより、これらのハンドル部および開閉弁が取り付けられたハウジング部の入口孔および出口孔の連通を制御する構成とされたバルブに圧力計が取り付けられた圧力計付きバルブであって、前記圧力計が前記ハンドル部に取り付けられていることを特徴とする。
この発明では、圧力計がハンドル部に取り付けられているので圧力計の表示部の視認を容易にすることができる。
【０００６】
ここで、ハウジング部の上端部に上下方向の移動が拘束された状態で水平回転自在に設けられたハンドル部と、前記ハウジング部の内部に上下方向に延在して配置された開閉弁とが備えられ、前記ハンドル部の下部内周面に雌ねじ案内部が形成されるとともに、前記開閉弁の上部外周面に前記雌ねじ案内部に螺合した雄ねじ案内部が形成され、前記ハウジング部の下部には、前記開閉弁の下端部が位置されるとともに、このハウジング部の外部に連通する入口孔および出口孔が開口した弁室が形成され、前記ハンドル部を水平回転したときに、前記雄ねじ案内部が前記雌ねじ案内部に沿って上下方向に案内されることにより、前記開閉弁が上下動することによって、前記入口孔から前記出口孔への流れが開閉可能とされたバルブに、前記入口孔内の圧力が測定可能な圧力計が備えられた圧力計付きバルブであって、前記ハンドル部の上部には、前記雌ねじ案内部に連通し、かつこのハンドル部の外側に向けて開口する開口部を有する収納部が形成され、前記開閉弁の内部には上下方向に延在し、かつ前記入口孔に連通する導入孔が形成され、前記圧力計は、その内部が前記導入孔と連通した状態で前記開閉弁に取り付けられるとともに、その表示部が前記開口部と対向するように前記収納部に収納されてもよい。
【０００７】
この発明では、圧力計がハンドル部に形成された収納部に収納されているので、圧力計に他の物体が衝突するのを防ぐことができる。さらに、圧力計が、その表示部が収納部の開口部に対向するようにしてこの収納部に収納されているので、圧力計の表示部を容易に視認することができる。また、圧力計が、その内部が前記導入孔と連通した状態で開閉弁に取り付けられているので、圧力計付きバルブのコンパクト化を図ることができる。
【０００８】
また、互いに接触する前記開閉弁の外面および前記ハウジング部の内面の少なくとも一部はそれぞれ、複数の平板部がその軸線回りにこの軸線の延びる方向に延在する稜線をなして連なる多面形状とされてもよい。
この場合、ハンドル部を水平回転させたときに、その回転駆動力が開閉弁に伝達しても、この開閉弁の前記稜線の部分がハウジング部の平板部若しくは稜線の部分に引っかかるので、開閉弁が回転するのを防ぐことができる。したがって、開閉弁に取り付けられた圧力計の回転も防止できるので、この圧力計の視認をさらに容易にすることができる。
【０００９】
さらに、前記圧力計は、光透過性の材質からなるケースに覆われてもよい。
この場合、圧力計の表示部の容易な視認性を確保しつつ、圧力計に他の物体が衝突することを確実に防ぐことが可能になるとともに、この圧力計を粉塵等に対して保護することが可能になり、圧力計の耐久性を向上させることができる。
【発明の効果】
【００１０】
この発明に係る圧力計付きバルブによれば圧力計の表示部の視認が容易になる。
【発明を実施するための最良の形態】
【００１１】
以下、図面を参照し、この発明の実施の形態について説明する。
本実施形態の圧力計付きバルブ１０は、ハンドル部１２を水平回転させて、このハンドル部１２に連結された開閉弁１３を上下動させることにより、これらのハンドル部１２および開閉弁１３が取り付けられたハウジング部１１の入口孔１１ｊおよび出口孔１１ｋの連通を制御する構成とされたバルブに圧力計１４が取り付けられ、特に圧力計１４がハンドル部１２に取り付けられている。以下、詳細に説明する。
【００１２】
圧力計付きバルブ１０は、ハウジング部１１の上端部に上下方向の移動が拘束された状態で水平回転自在に設けられたハンドル部１２と、ハウジング部１１の内部に上下方向に延在して配置された開閉弁１３とが備えられ、ハンドル部１２の下部（以下、「ハンドル下部」という）１２ａの内周面に雌ねじ案内部１２ｂが形成されるとともに、開閉弁１３の上端部外周面にこの雌ねじ案内部１２ｂに螺合した雄ねじ案内部１３ｅが形成されている。なお、雌ねじ案内部１２ｂおよび雄ねじ案内部１３ｅは左ねじとされている。
【００１３】
ハンドル部１２は、人手により把持されるとともに、ハンドル下部１２ａの上端部に連結されたハンドル上部１２ｃを備え、概略円筒状体とされている。このハンドル上部１２ｃには、その下端面に開口する孔１２ｄと、この孔１２ｄより大径とされて上端面に開口するとともに、孔１２ｄに連通する収納部１２ｅとが形成されている。これらの孔１２ｄと収納部１２ｅとは、ハンドル部１２の回転中心軸線Ｏと同軸上に位置されている。
【００１４】
ハンドル下部１２ａは、ハンドル上部１２ｃの孔１２ｄに嵌合されるとともに、内周面に前記雌ねじ案内部１２ｂが形成された小径部１２ｆと、この小径部１２ｆと同軸的に設けられ、後述するハウジング部１１の上部１１ａ内に配置された大径部１２ｇとを備え、概略２段円筒状体とされている。なお、小径部１２ｆの内周面に形成された雌ねじ案内部１２ｂは、前記回転中心軸線Ｏと同軸上に形成されている。また、ハンドル下部１２ａの小径部１２ｆの外周面とハンドル上部１２ｃの孔１２ｄの内周面との間には、図示されない回り止め部材が配置されている。
以上より、ハンドル部１２において、その下部１２ａに形成された雌ねじ案内部１２ｂと、上部１２ｃに形成された孔１２ｄおよび収納部１２ｅとが、前記回転中心軸線Ｏと同軸上に位置されるとともに、この軸線Ｏが延びる方向で連通した構成とされている。
【００１５】
ハウジング部１１は、上部１１ａと中央部１１ｂと下部１１ｃとにより構成され、上部１１ａの内周面に形成された雌ねじ部１１ｄに中央部１１ｂの上部外周面に形成された第１雄ねじ部１１ｅが螺合するとともに、下部１１ｃの内周面に形成された雌ねじ部１１ｆに中央部１１ｂの下部外周面に形成された第２雄ねじ部１１ｇが螺合することによって、中央部１１ｂと上部１１ａおよび下部１１ｃとが互いに螺着されて連結された構成とされている。
【００１６】
このハウジング部１１において、上部１１ａの内側における上端面と中央部１１ｂの上端面との間に空間１１ｉが形成されて、この空間１１ｉにハンドル下部１２ａの大径部１２ｇが配置されている。そして、この大径部１２ｇの上端面と上部１１ａの内側における上端面との間、および大径部１２ｇの下端面と中央部１１ｂの上端面との間にそれぞれ、スラストワッシャ１４が設けられている。
【００１７】
また、下部１１ｃの内側における下端面と中央部１１ｂの下端面との間に空間が形成され、この空間が開閉弁１３の下部が配置されるとともに、このハウジング部１１の外部に連通する入口孔１１ｊおよび出口孔１１ｋが開口した弁室１１ｍとされている。なお、入口孔１１ｊは前記回転中心軸線Ｏと同軸上に位置されている。
【００１８】
開閉弁１３は、その上端部がハンドル下部１２ａに形成された雌ねじ案内部１２ｂに螺合された状態で、その下端部が弁室１１ｍに位置されるように、前記回転中心軸線Ｏと同軸上に直線状に延在した筒状体とされている。また、この開閉弁１３の内部には上下方向、つまり前記回転中心軸線Ｏが延びる方向に延在し、その上下端面にそれぞれ開口する導入孔１３ａが形成されている。この導入孔１３ａは前記回転中心軸線Ｏと同軸上に位置されている。さらに、開閉弁１３の下端面には、導入孔１３ａの開口周縁部に、この下端面と面一になるようにシール部材１３ｂが設けられている。シール部材１３ｂは平面視リング状とされている。また、本実施形態では、開閉弁１３の上端面に、前記回転中心軸線Ｏと同軸上に雌ねじ部が形成され、この雌ねじ部の底面に導入孔１３ａが開口している。つまり、導入孔１３ａは前記雌ねじ部の底面を介して開閉弁１３の上端面に開口している。
【００１９】
ここで、前記のように、入口孔１１ｊ、導入孔１３ａおよびシール部材１３ｂは、前記回転中心軸線Ｏと同軸上に形成されるとともに、図１および図３に示されるように、前記入口孔１１ｊは導入孔１３ａよりも大径とされ、またシール部材１３ｂは、その内径が入口孔１１ｊの内径より小さくされるとともに、外径が入口孔１１ｊの内径より大きくされている。
【００２０】
すなわち、開閉弁１３の下端面と、入口孔１１ｊが開口する弁室１１ｍの底面とが当接すると、この底面における入口孔１１ｊの開口周縁部にシール部材１３ｂが当接することによって、入口孔１１ｊと弁室１１ｍおよび出口孔１１ｋとが遮断されるようになっている。
【００２１】
そして、本実施形態では、圧力計１４は、ハンドル上部１２ｃの収納部１２ｅ内に、その表示部が、ハンドル上部１２ｃの上端面に開口する収納部１２ｅの開口部１２ｎと対向するように配置されている。つまり、ハンドル上部１２ｃの上端面を平面視したときに、圧力計１４の表示部が正面から視認できるようになっている。また、この圧力計１４は、開閉弁１３の上端面に形成された前記雌ねじ部と螺合することにより連結され、前記雌ねじ部の底面に開口する導入孔１３ａの開口部を介して、圧力計１４の内部と導入孔１３ａとが連通している。これにより、導入孔１３ａを介して圧力計１４により入口孔１１ｊ内の圧力が測定できるようになっている。
【００２２】
また、本実施形態では、開閉弁１３の外面のうち、ハウジング部１１の中央部１１ｂにおける上部の内面と接触する部分は、複数の平板部１３ｃが前記回転中心軸線Ｏ回りにこの軸線Ｏが延びる方向に延在する稜線１３ｄをなして連なる多面形状とされている。そして、この開閉弁１３の前記多面形状と接触する前記中央部１１ｂの上部における内面も開閉弁１３と同様に複数の平板部１１ｎが前記回転中心軸線Ｏ回りにこの軸線Ｏが延びる方向に延在する稜線１１ｐをなして連なる多面形状とされている。
【００２３】
すなわち、図２に示されるように、開閉弁１３の外面における平板部１３ｃおよび稜線１３ｄと、前記中央部１１ｂの内面における平板部１１ｎおよび稜線１１ｐとがそれぞれ互いに接触した状態で、ハウジング部１１の中央部１１ｂにおける上部の内面に、開閉弁１３が上下方向に摺動自在に挿入されている。なお、前記平板部１３ｃ、１１ｎおよび稜線１３ｄ、稜線１１ｐの前記回転中心軸線Ｏが延びる方向の大きさは、後述のように開閉弁１３が上下方向に移動するストローク以上とされ、開閉弁１３が上下動する際、常にこれらの平板部１３ｃ、１１ｎおよび稜線１３ｄ、１１ｐが互いに接触するようになっている。
【００２４】
圧力計１４は、光透過性の材質（例えばアクリル若しくはガラス等）からなるケース１４ａに覆われている。さらに、圧力計１４は平面視円形状とされ、その外周面にソケットレンチをかけるための径方向内方に凹む複数の凹溝１４ｂが形成されている。
【００２５】
以上より、ハンドル上部１２ｃを把持して前記回転中心軸線Ｏ回りに水平回転すると、ハンドル下部１２ａを含むハンドル部１２全体が回転する。この際、ハンドル下部１２ａの大径部１２ｇの上下端面が、ハウジング部１１の上部１１ａの内側における上端面と、中央部１１ｂの上端面とにより挟み込まれているため、ハンドル下部１２ａに形成された雌ねじ案内部１２ｂが開閉弁１３の雄ねじ案内部１３ｅに螺合しているにもかかわらず、ハンドル部１２の前記回転中心軸線Ｏが延びる方向に沿った上下方向の移動は阻止される一方、開閉弁１３が、前記回転中心軸線Ｏ回りの回転移動が阻止された状態で、圧力計１４とともに上下方向に移動することによって、開閉弁１３の下端面が、弁室１１ｍにおける入口孔１１ｊの開口部に対して接近離間する。
【００２６】
なお、開閉弁１３が上下動する過程において、上下端に位置するか否か、その途中に位置するか否かにかかわらず常に入口孔１１ｊと導入孔１３ａとは連通している。
【００２７】
以上説明したように本実施形態に係る圧力計付きバルブ１０によれば、圧力計１４がハンドル部１２に形成された収納部１２ｅに配置されるので、圧力計１４に他の物体が衝突するのを防ぐことができる。さらに、圧力計１４が、その表示部が収納部１２ｅの開口部１２ｎに対向するようにしてこの収納部１２ｅに収納されているので、この圧力計１４の表示部を容易に視認することができる。また、圧力計１４が、その内部が導入孔１３ａと連通した状態で開閉弁１３に取り付けられているので、圧力計付きバルブ１０のコンパクト化を図ることができる。
【００２８】
また、開閉弁１３の外面のうち、ハウジング部１１の中央部１１ｂの上部と対向する部分が前記多面形状とされるとともに、この中央部１１ｂの上部における内面も開閉弁１３と同様な多面形状とされているので、ハンドル部１２を前記水平回転させたときに、その回転駆動力が開閉弁１３に伝達しても、開閉弁１３の前記稜線１３ｄの部分がハウジング部１１の平板部１１ｎ若しくは稜線１１ｐの部分に引っかかるので、開閉弁１３が回転するのを防ぐことができる。したがって、開閉弁１３に取り付けられた圧力計１４の回転も防止できるので、この圧力計１４の視認をさらに容易にすることができる。
【００２９】
さらに、圧力計１４が光透過性の材質からなるケース１４ａに覆われているので、圧力計の表示部の容易な視認を確保しつつ、圧力計１４に他の物体が衝突することを確実に防ぐことが可能になるとともに、この圧力計１４を粉塵等に対して保護することが可能になり、圧力計１４の耐久性を向上させることができる。
【００３０】
なお、本発明の技術的範囲は前記実施の形態に限定されるものではなく、本発明の趣旨を逸脱しない範囲において種々の変更を加えることが可能である。
例えば、前記実施形態では、開閉弁１３の上端面に圧力計１４を連結して、この圧力計１４の内部と導入孔１３ａとを連通したが、これに代えて、導入孔１３ａを開閉弁１３の上端部外周面に雌ねじ部を介して開口させて、この開口部と圧力計１４とを連通させるようにしてもよい。この場合において、収納部１２ｅをハンドル上部１１ｂの上端面に開口させるのに代えて、ハンドル上部１１ｂの外周面に開口させるようにし、この外周面における開口部に圧力計１４の表示部を対向させるようにしてもよい。
【００３１】
また、前記実施形態では、開閉弁１３の外面のうち、ハウジング部１１の中央部１１ｂの上部と対向する部分を前記多面形状とするとともに、この中央部１１ｂの上部における内面も開閉弁１３と同様な多面形状としたが、このような多面形状に必ずしもしなくてもよい。
さらに、前記実施形態では、圧力計１４をケース１４ａで覆ったが、ケース１４ａを設けなくてもよい。
さらにまた、圧力計１４を収納部１２ｄに収納せずに、例えばハンドル上部１２ｃの外表面から突出させてハンドル部１２に取り付けてもよい。
【産業上の利用可能性】
【００３２】
圧力計の表示部の視認が容易な圧力計付きバルブを提供する。
【図面の簡単な説明】
【００３３】
【図１】本発明に係る一実施形態として示した圧力計付きバルブの縦断面図である。
【図２】図１に示す圧力計付きバルブのＡ−Ａ線矢視断面図である。
【図３】図１に示す圧力計付きバルブのＢ−Ｂ線矢視断面図である。
【符号の説明】
【００３４】
１０  圧力計付きバルブ
１１  ハウジング部
１１ｊ  入口孔
１１ｋ  出口孔
１１ｍ  弁室
１２  ハンドル部
１２ｂ  雌ねじ案内部
１２ｃ  ハンドル上部（ハンドル部の上部）
１２ｄ  収納部
１２ｎ  開口部
１３  開閉弁
１３ａ  導入孔
１３ｃ  平板部
１３ｄ  稜線
１３ｅ  雄ねじ案内部
１４  圧力計
１４ａ  ケース
【図１】
2007092956.tif 000003
【図２】
2007092956.tif 000004
【図３】
2007092956.tif 000005